(57)【要約】【課題】フォーカス位置を、所望の位置に、容易に調整する。【解決手段】フォーカス位置情報取得部１３１は、現在フォーカス位置情報を取得し、フォーカス位置情報記憶部１３２は、フォーカスマーキングＡ記憶キー７８またはフォーカスマーキングＢ記憶キー７９が操作されたときの現在フォーカス位置情報を、記憶フォーカス位置情報として記憶し、表示制御部１３６は、一端を近景端とするとともに、他端を遠景端とするバー上の、現在フォーカス位置情報が表す位置に、その位置を表す現在マークを配置するとともに、記憶フォーカス位置情報が表す位置に、その位置を表す記憶マークを配置したフォーカス位置画像を表示する。本発明は、例えば、ディジタルビデオカメラに適用することができる。【選択図】図４
2009122289.tif 000002
【特許請求の範囲】
【請求項１】
光学系を介して入射する被写体からの光を受光することにより、前記被写体を撮影する撮影装置において、
前記光学系のフォーカス位置を取得する取得手段と、
ユーザにより操作される操作部が操作されたときの前記フォーカス位置である記憶フォーカス位置を記憶する記憶手段と、
一端を、合焦状態となる最も近景側の前記フォーカス位置である近景端とし、他端を、合焦状態となる最も遠景側の前記フォーカス位置である遠景端とするバー上の、現在の前記フォーカス位置に対応する位置に、現在の前記フォーカス位置を表す現在マークを配置するとともに、前記記憶フォーカス位置に対応する位置に、前記記憶フォーカス位置を表す記憶マークを配置したフォーカス位置画像を、前記被写体の画像を表示する表示手段に表示する表示制御を行う表示制御手段と
を備える撮影装置。
【請求項２】
現在の前記フォーカス位置と、前記記憶フォーカス位置との一致を検出する検出手段と、
現在の前記フォーカス位置と、前記記憶フォーカス位置との一致が検出されたとき、現在の前記フォーカス位置と、前記記憶フォーカス位置とが一致した旨を報知する報知手段と
をさらに備える請求項１に記載の撮影装置。
【請求項３】
前記報知手段は、前記フォーカス位置画像の表示を変化させることで、現在の前記フォーカス位置と、前記記憶フォーカス位置とが一致した旨を報知する
請求項２に記載の撮影装置。
【請求項４】
前記記憶手段は、複数の前記記憶フォーカス位置を記憶し、
前記表示制御手段は、前記バー上の、複数の前記記憶フォーカス位置に対応する位置に、前記記憶マークを配置したフォーカス位置画像を表示する
請求項１に記載の撮影装置。
【請求項５】
前記フォーカス位置画像の表示をオン／オフするときに操作されるオン／オフ操作手段をさらに備える
請求項１に記載の撮影装置。
【請求項６】
前記撮影装置が、
光学系を介して入射する被写体からの光を受光することにより、前記被写体を撮影する撮影装置の撮影方法において、
前記光学系のフォーカス位置を取得し、
ユーザにより操作される操作部が操作されたときの前記フォーカス位置である記憶フォーカス位置を記憶し、
一端を、合焦状態となる最も近景側の前記フォーカス位置である近景端とし、他端を、合焦状態となる最も遠景側の前記フォーカス位置である遠景端とするバー上の、現在の前記フォーカス位置に対応する位置に、現在の前記フォーカス位置を表す現在マークを配置するとともに、前記記憶フォーカス位置に対応する位置に、前記記憶フォーカス位置を表す記憶マークを配置したフォーカス位置画像を、前記被写体の画像を表示する表示手段に表示する表示制御を行う
ステップを含む撮影方法。
【請求項７】
光学系を介して入射する被写体からの光を受光することにより、前記被写体を撮影する撮影装置として、コンピュータを機能させるプログラムにおいて、
前記光学系のフォーカス位置を取得する取得手段と、
ユーザにより操作される操作部が操作されたときの前記フォーカス位置である記憶フォーカス位置を記憶する記憶手段と、
一端を、合焦状態となる最も近景側の前記フォーカス位置である近景端とし、他端を、合焦状態となる最も遠景側の前記フォーカス位置である遠景端とするバー上の、現在の前記フォーカス位置に対応する位置に、現在の前記フォーカス位置を表す現在マークを配置するとともに、前記記憶フォーカス位置に対応する位置に、前記記憶フォーカス位置を表す記憶マークを配置したフォーカス位置画像を、前記被写体の画像を表示する表示手段に表示する表示制御を行う表示制御手段
として、コンピュータを機能させるプログラム。
【請求項８】
撮影している被写体の画像データにタイムコードを付加して記録する撮影装置において、
前記タイムコードの切り上げの指示に応じて、現在保持しているタイムコードの値を所定の単位で切り上げる切り上げ手段と、
前記画像データの記録の指示に応じて、前記切り上げ手段によって切り上げられた前記タイムコード以降のタイムコードを、前記画像データに付加する付加手段と、
前記付加手段によって、切り上げられた前記タイムコード以降のタイムコードが付加された前記画像データを記録する記録制御手段と
を備える撮影装置。
【請求項９】
前記切り上げ手段は、現在保持しているタイムコードの、時間の値に１を加え、分、秒、およびフレームの値を０とする
請求項８に記載の撮影装置。
【請求項１０】
撮影している前記被写体を表示する表示手段に、前記タイムコードを表示する表示制御手段をさらに備える
請求項８に記載の撮影装置。
【請求項１１】
撮影している前記被写体を表示する表示手段に表示される設定画面に対する操作に応じて、前記タイムコードの切り上げの指示を、前記切り上げ手段に供給する制御手段をさらに備える
請求項８に記載の撮影装置。
【請求項１２】
前記撮影手段の筐体に配置されている複数のキーのうちのいずれかに、前記タイムコードの切り上げの機能を割り当て、前記タイムコードの切り上げの機能が割り当てられたキーが操作されたとき、前記タイムコードの切り上げの指示を、前記切り上げ手段に供給する制御手段をさらに備える
請求項８に記載の撮影装置。
【請求項１３】
撮影している被写体の画像データにタイムコードを付加して記録する撮影装置の撮影方法において、
前記撮影装置が、
前記タイムコードの切り上げの指示に応じて、現在保持しているタイムコードの値を所定の単位で切り上げ、
前記画像データの記録の指示に応じて、切り上げられた前記タイムコード以降のタイムコードを、前記画像データに付加し、
切り上げられた前記タイムコード以降のタイムコードが付加された前記画像データを記録する
ステップを含む撮影方法。
【請求項１４】
撮影している被写体の画像データにタイムコードを付加して記録する撮影装置として、コンピュータを機能させるプログラムにおいて、
前記タイムコードの切り上げの指示に応じて、現在保持しているタイムコードの値を所定の単位で切り上げる切り上げ手段と、
前記画像データの記録の指示に応じて、前記切り上げ手段によって切り上げられた前記タイムコード以降のタイムコードを、前記画像データに付加する付加手段と、
前記付加手段によって、切り上げられた前記タイムコード以降のタイムコードが付加された前記画像データを記録する記録制御手段
として、コンピュータを機能させるプログラム。
【発明の詳細な説明】
【技術分野】
【０００１】
本発明は、撮影装置および撮影方法、並びにプログラムに関し、特に、例えば、フォーカス位置を、ユーザの所望する位置に、容易に調整することができるようにする撮影装置および撮影方法、並びにプログラムに関する。
【背景技術】
【０００２】
ディジタルビデオカメラ等の撮影装置による撮影時には、ユーザは、EVF(Electronic View Finder)や、EVFより大画面の液晶パネル等を見ながら、フォーカス位置を調整するフォーカスリングを廻して、合焦状態となったときにフォーカスリングを留めることで、フォーカス位置を、撮影しようとする被写体に合わせるフォーカス合わせ（ピント合わせ）を行う。
【０００３】
しかしながら、液晶パネルやEVFを見ながらフォーカスリングを操作する場合には、ユーザにとって、あとどれぐらいフォーカスリングを廻せば合焦状態になるかの感覚がつかみにくく、また、合焦状態で正確にフォーカスリングを留めることが難しいことがある。
【０００４】
そこで、番組等の撮影現場においては、フォーカス合わせ専門のスタッフが、リハーサルの時に事前に、所定の位置にフォーカス合わせをしておき、フォーカスリングの目盛り上にペンなどで印をつけることが行われる。こうすることにより、一度違う位置にしたフォーカス位置を、事前にフォーカス合わせをした位置に戻したいシーンになったとき、ペンで印をつけた位置にフォーカスリングを戻せば、フォーカス位置を、事前にフォーカス合わせをした位置に戻すことができる。このようなフォーカスリングの操作において、フォーカス合わせ専門のスタッフは、液晶パネルやEVFを見ずに、フォーカスリングの操作をするだけあり、画枠（画角）の設定などの、液晶パネルやEVFを見ながら行う必要がある操作は、他のスタッフが行うことが多い。
【０００５】
しかしながら、フォーカス合わせ専門のスタッフによって、ペンで印をつけたフォーカスリングの操作を行う場合には、撮影に際して、２人以上のスタッフ（ユーザ）が必要となるためコスト（人件費）がかかる。
【０００６】
画枠の設定などの液晶パネルやEVFを見ながら行う必要がある操作をするスタッフが、１人で、フォーカスリングの操作をも行うことで、コストの問題は解消することができるが、この場合、１人のスタッフは、液晶パネルやEVFと、フォーカスリングの目盛りにつけた印とを同時に見ながら操作を行う必要があり、かなりのスキルを要する。
【０００７】
また、フォーカスリングにペンで印をつけるのでは、フォーカスリング等の機械的な誤差によって、フォーカス位置に多少のずれが発生することがある。
【０００８】
なお、タッチパネルが装着された液晶ディスプレイに表示される画像に重畳してズーム枠を複数グラフィック表示し、タッチパネルにより複数の中から指示されたズーム枠が表示面の外枠と一致するようにズーム手段を制御するズームレンズを有する撮影装置がある（例えば、特許文献１参照）。
【０００９】
【特許文献１】特許第３６２０５３４号
【発明の開示】
【発明が解決しようとする課題】
【００１０】
以上のように、フォーカス位置を、ユーザ（スタッフ）が所望する位置に調整することは、容易ではなかった。
【００１１】
本発明は、このような状況に鑑みてなされたものであり、フォーカス位置を、所望の位置に、容易に調整することができるようにするものである。
【課題を解決するための手段】
【００１２】
本発明の第１の側面の撮影装置、またはプログラムは、光学系を介して入射する被写体からの光を受光することにより、前記被写体を撮影する撮影装置であって、前記光学系のフォーカス位置を取得する取得手段と、ユーザにより操作される操作部が操作されたときの前記フォーカス位置である記憶フォーカス位置を記憶する記憶手段と、一端を、合焦状態となる最も近景側の前記フォーカス位置である近景端とし、他端を、合焦状態となる最も遠景側の前記フォーカス位置である遠景端とするバー上の、現在の前記フォーカス位置に対応する位置に、現在の前記フォーカス位置を表す現在マークを配置するとともに、前記記憶フォーカス位置に対応する位置に、前記記憶フォーカス位置を表す記憶マークを配置したフォーカス位置画像を、前記被写体の画像を表示する表示手段に表示する表示制御を行う表示制御手段と備える撮影装置、または撮影装置として、コンピュータを機能させるプログラムである。
【００１３】
前記撮影装置には、現在の前記フォーカス位置と、前記記憶フォーカス位置との一致を検出する検出手段と、現在の前記フォーカス位置と、前記記憶フォーカス位置との一致が検出されたとき、現在の前記フォーカス位置と、前記記憶フォーカス位置とが一致した旨を報知する報知手段とをさらに設けることができる。
【００１４】
前記報知手段には、前記フォーカス位置画像の表示を変化させることで、現在の前記フォーカス位置と、前記記憶フォーカス位置とが一致した旨を報知させることができる。
【００１５】
前記記憶手段には、複数の前記記憶フォーカス位置を記憶させ、前記表示制御手段には、前記バー上の、複数の前記記憶フォーカス位置に対応する位置に、前記記憶マークを配置したフォーカス位置画像を表示させることができる。
【００１６】
前記撮影装置には、前記フォーカス位置画像の表示をオン／オフするときに操作されるオン／オフ操作手段をさらに設けることができる。
【００１７】
本発明の第１の側面の撮影方法は、光学系を介して入射する被写体からの光を受光することにより、前記被写体を撮影する撮影装置の撮影方法であって、前記撮影装置が、前記光学系のフォーカス位置を取得し、ユーザにより操作される操作部が操作されたときの前記フォーカス位置である記憶フォーカス位置を記憶し、一端を、合焦状態となる最も近景側の前記フォーカス位置である近景端とし、他端を、合焦状態となる最も遠景側の前記フォーカス位置である遠景端とするバー上の、現在の前記フォーカス位置に対応する位置に、現在の前記フォーカス位置を表す現在マークを配置するとともに、前記記憶フォーカス位置に対応する位置に、前記記憶フォーカス位置を表す記憶マークを配置したフォーカス位置画像を、前記被写体の画像を表示する表示手段に表示する表示制御を行うステップを含む。
【００１８】
本発明の第２の側面の撮影装置、またはプログラムは、撮影している被写体の画像データにタイムコードを付加して記録する撮影装置であって、前記タイムコードの切り上げの指示に応じて、現在保持しているタイムコードの値を所定の単位で切り上げる切り上げ手段と、前記画像データの記録の指示に応じて、前記切り上げ手段によって切り上げられた前記タイムコード以降のタイムコードを、前記画像データに付加する付加手段と、前記付加手段によって、切り上げられた前記タイムコード以降のタイムコードが付加された前記画像データを記録する記録制御手段とを備える撮影装置、または撮影装置として、コンピュータを機能させるプログラムである。
【００１９】
前記切り上げ手段には、現在保持しているタイムコードの、時間の値に１を加え、分、秒、およびフレームの値を０とさせることができる。
【００２０】
前記撮影装置には、撮影している前記被写体を表示する表示手段に、前記タイムコードを表示する表示制御手段をさらに設けることができる。
【００２１】
前記撮影装置には、撮影している前記被写体を表示する表示手段に表示される設定画面に対する操作に応じて、前記タイムコードの切り上げの指示を、前記切り上げ手段に供給する制御手段をさらに設けることができる。
【００２２】
前記撮影装置には、前記撮影手段の筐体に配置されている複数のキーのうちのいずれかに、前記タイムコードの切り上げの機能を割り当て、前記タイムコードの切り上げの機能が割り当てられたキーが操作されたとき、前記タイムコードの切り上げの指示を、前記切り上げ手段に供給する制御手段をさらに設けることができる。
【００２３】
本発明の第２の側面の撮影方法は、撮影している被写体の画像データにタイムコードを付加して記録する撮影装置の撮影方法であって、前記撮影装置が、前記タイムコードの切り上げの指示に応じて、現在保持しているタイムコードの値を所定の単位で切り上げ、前記画像データの記録の指示に応じて、切り上げられた前記タイムコード以降のタイムコードを、前記画像データに付加し、切り上げられた前記タイムコード以降のタイムコードが付加された前記画像データを記録するステップを含む。
【００２４】
本発明の第１の側面においては、光学系のフォーカス位置が取得され、ユーザにより操作される操作部が操作されたときのフォーカス位置である記憶フォーカス位置が記憶され、一端を、合焦状態となる最も近景側のフォーカス位置である近景端とし、他端を、合焦状態となる最も遠景側のフォーカス位置である遠景端とするバー上の、現在のフォーカス位置に対応する位置に、現在のフォーカス位置を表す現在マークを配置するとともに、記憶フォーカス位置に対応する位置に、記憶フォーカス位置を表す記憶マークを配置したフォーカス位置画像を、被写体の画像を表示する表示手段に表示する表示制御が行われる。
【００２５】
本発明の第２の側面においては、タイムコードの切り上げの指示に応じて、現在保持しているタイムコードの値が所定の単位で切り上げられ、画像データの記録の指示に応じて、切り上げられたタイムコード以降のタイムコードが、画像データに付加され、切り上げられたタイムコード以降のタイムコードが付加された画像データが記録される。
【発明の効果】
【００２６】
本発明の第１の側面によれば、フォーカス位置を、所望の位置に、容易に調整することができる。
【００２７】
また、本発明の第２の側面によれば、より簡単に、編集作業を効率良く行うことが可能となる。
【発明を実施するための最良の形態】
【００２８】
以下、本発明の実施の形態について図を参照して説明する。
【００２９】
図１は、本発明を適用した撮影装置の一実施の形態の構成例を示すブロック図である。
【００３０】
撮影装置１１は、例えば、HDV（High Definition Video）規格のディジタルビデオカメラで、1080i方式（水平走査線数が1080で、走査方式がインタレース方式）等の、高精細なハイビジョン画像の画像データを撮影して、ディジタルビデオテープ等に記録する。
【００３１】
キー／電源制御部２１は、内部にCPU（Central Processing Unit）２１−１を有し、CPU２１−１がプログラムを実行することで、各種の処理を行う。
【００３２】
すなわち、キー／電源制御部２１は、被写体の録画（記録）開始／停止や、ディジタルビデオテープ（以下、単に、テープという）に記録された画像データの再生、巻き戻し、早送り、停止、およびテープの取り出し等の、テープの走行に関わる動作を指示するためのキー、音量を調節するためのキー、メニューの選択を行うためのダイヤルや、選択されたメニューを画定するための決定キーなどの各種のキーに対するユーザの操作や、パネル５３やEVF５４に表示されたGUI（Graphical User Interface）に対するユーザの操作に応じて、その操作に対応する操作信号を、シリアルバスを介してGUI制御部２２に供給する。
【００３３】
また、キー／電源制御部２１は、電源回路２７を制御する。
【００３４】
GUI制御部２２は、内部にCPU２２−１を有し、CPU２２−１がプログラムを実行することで、各種の処理を行う。
【００３５】
すなわち、GUI制御部２２は、キー／電源制御部２１から供給される操作信号に応じた情報（指示）を、シリアルバスを介してカメラ駆動制御部３２、機械駆動制御部４６等に供給する。
【００３６】
すなわち、GUI制御部２２は、例えば、テープの走行に関わるテープ走行コマンドを、機械駆動制御部４６に供給する。また、GUI制御部２２は、例えば、シャッタスピードや、ホワイトバランス、ズーム、フォーカス、カメラ明るさ等の撮影に関わるカメラ調整コマンドを、カメラ駆動制御部３２に供給する。
【００３７】
さらに、GUI制御部２２は、パネル５３やEVF５４に表示される、フォーカスが調整可能な範囲を示すアイコンであるバーやタイムコードを表示させるためのOSD（On Screen Display）情報を、バスを介して、ベースバンド制御部３７に供給する。
【００３８】
なお、GUI制御部２２には、バスを介して、USB（Universal Serial Bus）端子２３およびリムーバブルメディア２４が接続され、また、シリアルバスを介して、EEPROM（Electrically Erasable and Programmable Read Only Memory）２５が接続されている。
【００３９】
電源回路２７は、キー／電源制御部２１からの制御に従い、図示せぬバッテリまたはAC（Alternating current）アダプタなどから供給される電源を撮影装置１１の各部に供給する。
【００４０】
レンズ部２８は、光学レンズ、フォーカス機構、シャッタ機構、および絞り（アイリス）機構などから構成される光学系であり、被写体からの光を集光し、CMOSセンサ２９の受光部に結像させる。
【００４１】
CMOSセンサ２９は、カメラ駆動制御部３２の制御により、レンズ部２８を介して入射する被写体からの光を受光して光電変換を行い、受光量に応じた電気信号としてのアナログ信号である画像信号を、カメラ画像制御部３０に供給する。なお、CMOSセンサ２９の代わりに、例えば、CCD（Charged Couple Device）センサなどを用いるようにしてもよい。また、CMOSセンサ２９は、シリアルバスを介して、カメラ画像制御部３０と接続されている。
【００４２】
カメラ画像制御部３０は、カメラ駆動制御部３２の制御に基づいて、CMOSセンサ２９からの画像信号に対して、A／D（Analog／Digital）変換を行い、得られた画像データを増幅し、さらに、ガンマ補正等の必要な信号処理を施し、ベースバンド制御部３７に供給する。なお、カメラ画像制御部３０には、バスを介して、SDRAM（Synchronous Dynamic Random Access Memory）３３が接続されている。
【００４３】
カメラ駆動制御部３２は、CPU３２−１およびROM(Read Only Memory)３２−２を有し、CPU３２−１が、ROM３２−２などに記憶されたプログラムを実行することで、各種の処理を行う。
【００４４】
すなわち、カメラ駆動制御部３２は、GUI制御部２２から供給される操作信号に応じた情報に基づいて、カメラ画像制御部３０を制御する。
【００４５】
また、カメラ駆動制御部３２は、カメラ画像制御部３０から、フォーカス位置を表すフォーカス位置情報を取得し、GUI制御部２２に供給する。なお、カメラ画像制御部３０には、シリアルバスを介して、EEPROM３１が接続されている。
【００４６】
マイクロフォン３４は、撮影装置１１の周囲の音声を収音し、その音声に対応するアナログ信号である音声信号を、アナログ信号入出力回路３５に供給する。
【００４７】
アナログ信号入出力回路３５は、マイクロフォン３４からの音声信号をAD/DA（Analog to Digital/Digital to Analog）コンバータ３６に供給する。また、アナログ信号入出力回路３５は、AD/DAコンバータ３６またはベースバンド制御部３７からの画像信号や音声信号をSD出力端子４０から出力する。
【００４８】
AD/DAコンバータ３６は、アナログ信号入出力回路３５からのアナログの音声信号をディジタルの音声データにA／D変換し、ベースバンド制御部３７に供給する。また、アナログ信号入出力回路３５は、ベースバンド制御部３７のからディジタルの音声データを、アナログの音声信号にD／A変換し、アナログ信号入出力回路３５に供給する。
【００４９】
ベースバンド制御部３７は、カメラ画像制御部３０から供給された画像データと、アナログ信号入出力回路３５から供給された音声データとを合成し、合成した結果である合成データ（AV（Audio Visual）データ）に対して、所定のベースバンド処理を施し、HDVコーデック４１、またはDVコーデック４５に供給する。
【００５０】
また、ベースバンド制御部３７は、HDVコーデック４１またはDVコーデック４５から供給されたAVデータを画像データと音声データとに分離し、そのうちの音声データを、アナログ信号入出力回路３５またはAD/DAコンバータ３６に供給する。
【００５１】
さらに、ベースバンド制御部３７は、カメラ画像制御部３０から供給された画像データやAVデータから分離した画像データに対応する画像を、ドライバ５１またはドライバ５２を介して、パネル５３またはEVF５４に表示させる制御を行う。
【００５２】
また、ベースバンド制御部３７は、AVデータ等を、ドライバ５５およびＤ端子５６、または、HDMI制御部５７、HDMIドライバ５８、およびHDMI端子５９を介して、外部の機器に出力する。
【００５３】
さらに、ベースバンド制御部３７は、GUI制御部２２からバスを介して供給されるOSD情報を基に、ドライバ５１またはドライバ５２を介して、パネル５３またはEVF５４のOSD表示を制御する。GUI制御部２２とベースバンド制御部３７とを接続するバスには、フラッシュメモリ３８およびSDRAM３９が接続されている。
【００５４】
SD出力端子４０は、図示せぬスピーカなどが接続され、アナログ信号入出力回路３５から供給された音声信号を、図示せぬスピーカに供給する。
【００５５】
HDVコーデック４１は、ベースバンド制御部３７から供給されるAVデータをHDVフォーマットのデータ（HDVデータ）に変換し、符号化／復号部４４に供給する。
【００５６】
すなわち、ユーザの操作に応じて、HDVフォーマットでの録画が設定されている場合、GUI制御部２２は、HDVフォーマットでの録画を行うように、ベースバンド制御部３７を制御する。ベースバンド制御部３７は、GUI制御部２２からの制御に応じて、AVデータを、HDVコーデック４１に供給し、HDVコーデック４１は、ベースバンド制御部３７から供給されるAVデータをHDVデータに変換して、符号化／復号部４４に供給する。
【００５７】
なお、このとき、HDVコーデック４１は、HDVデータに対して、機械駆動制御部４６で管理されているタイムコードを付加する。
【００５８】
また、HDVコーデック４１は、符号化／復号部４４から供給されたHDVデータをAVデータに逆変換し、ベースバンド制御部３７に供給する。HDVコーデック４１には、SDRAM４２およびフラッシュメモリ４３が接続されている。
【００５９】
符号化／復号部４４は、内部にCPU４４−１およびDRAM（Dynamic Random Access Memory）４４−２を有し、CPU４４−１が、DRAM４４−２などに記憶されたプログラムを実行することで、各種の処理を行う。
【００６０】
すなわち、符号化／復号部４４は、HDVコーデック４１からのHDVデータを符号化し、その結果得られる符号化データを、テープデッキ制御部４７に供給する。
【００６１】
また、符号化／復号部４４は、テープデッキ制御部４７から供給された符号化データをHDVデータに復号し、HDVコーデック４１に供給する。
【００６２】
さらに、符号化／復号部４４は、i.LINK制御部４９から供給される、信号フォーマットがMPEG（Moving Picture Experts Group）のデータを符号化し、その結果得られる符号化データを、テープデッキ制御部４７に供給する。
【００６３】
DVコーデック４５は、ベースバンド制御部３７から供給されるAVデータをDVフォーマットのデータ（DVデータ）に符号化し、テープデッキ制御部４７に供給する。
【００６４】
すなわち、ユーザの操作に応じて、DVフォーマットでの録画が設定されている場合、GUI制御部２２は、DVフォーマットでの録画を行うように、ベースバンド制御部３７を制御する。ベースバンド制御部３７は、GUI制御部２２からの制御に応じて、AVデータを、DVコーデック４５に供給し、DVコーデック４５は、ベースバンド制御部３７から供給されるAVデータをDVデータに変換して、テープデッキ制御部４７に供給する。
【００６５】
なお、このとき、DVコーデック４５は、DVデータに対して、機械駆動制御部４６で管理されているタイムコードを付加する。
【００６６】
また、DVコーデック４５は、テープデッキ制御部４７から供給されたDVデータをAVデータに復号し、ベースバンド制御部３７に供給する。
【００６７】
さらに、DVコーデック４５は、i.LINK制御部４９から供給される、信号フォーマットがDVのデータを符号化し、その結果得られる符号化データを、テープデッキ制御部４７に供給する。
【００６８】
機械駆動制御部４６は、内部にCPU４６−１およびRAM４６−２を有し、CPU４６−１が、RAM４６−２などに記憶されたプログラムを実行することで、各種の処理を行う。
【００６９】
すなわち、機械駆動制御部４６は、GUI制御部２２からの操作信号に応じた情報に基づいて、テープデッキ制御部４７およびi.LINK制御部４９を制御する。
【００７０】
さらに、機械駆動制御部４６は、i.LINK制御部４９からi.LINK端子５０でやりとりするデータの情報を受信するとともに、i.LINK端子５０に接続された機器を制御するためのコマンドを、i.LINK制御部４９に供給する。
【００７１】
また、機械駆動制御部４６は、HDVコーデック４１またはDVコーデック４５に供給するタイムコードを管理する。
【００７２】
テープデッキ制御部４７は、機械駆動制御部４６の制御に基づいて、テープデッキ４８に装着されたテープを制御し、テープから再生された符号化データを符号化／復号部４４に供給し、また、テープから再生されたDVデータをDVコーデック４５に供給する。また、テープデッキ制御部４７は、DVコーデック４５、または符号化／復号部４４から所定の符号化データが供給されたとき、その符号化データを、テープデッキ４８を介して、テープに記録させる。
【００７３】
i.LINK制御部４９は、内部にCPU４９−１を有し、CPU４９−１が、プログラムを実行することで、i.LINK端子５０によるデータのやりとりを制御する。
【００７４】
すなわち、i.LINK制御部４９は、機械駆動制御部４６の制御に基づいて、図示せぬ専用ケーブルを介してi.LINK端子５０に接続される外部の機器を制御する。i.LINK制御部４９は、i.LINK端子５０に接続される外部の機器から供給される符号化データを符号化／復号部４４に供給し、また、外部の機器から供給されるDVデータをDVコーデック４５に供給する。また、i.LINK制御部４９は、DVコーデック４５、または符号化／復号部４４から所定の符号化データが供給されたとき、その符号化データを外部の機器に出力する。
【００７５】
ドライバ５１およびドライバ５２は、それぞれ、ベースバンド制御部３７からの画像データに応じて、パネル５３およびEVF５４を駆動する。
【００７６】
ドライバ５５は、ベースバンド制御部３７から供給されたAVデータを、Ｄ端子５６に対応した所定の信号フォーマットのデータに変換し、Ｄ端子５６に供給する。
【００７７】
パネル５３は、例えば、撮影装置１１に対して開閉可能な液晶パネル等で構成され、ドライバ５１からの駆動に応じた画像を表示する。すなわち、パネル５３は、レンズ部２８によって撮影されている被写体の画像や、OSD情報に基づいた画像の表示を行う。
【００７８】
EVF５４は、ドライバ５２からの駆動に応じた画像を表示する。すなわち、EVF５４は、レンズ部２８によって撮影されている被写体の画像や、OSD情報に基づいた画像の表示を行う。
【００７９】
Ｄ端子５６は、ドライバ５５からの所定の信号フォーマットの画像信号を、図示せぬディスプレイ装置などの表示装置に出力する。
【００８０】
HDMI制御部５７は、HDMIドライバ５８を制御し、HDMI端子５９に接続された外部の機器に、ベースバンド制御部３７からのAVデータを送信をする。
【００８１】
HDMIドライバ５８は、HDMI制御部５７の制御に従い、ベースバンド制御部３７からHDMI制御部５７を介して供給されるAVデータを、HDMI出力フォーマットで、HDMI端子５９に接続された機器に供給する。
【００８２】
HDMI端子５９は、HDMIドライバ５８からのHDMI出力フォーマットのディジタル信号を、図示せぬHDMI対応モニタ（例えば、HDMI対応テレビジョン受像機等）に出力する。
【００８３】
図２は、撮影装置１１の筐体側面に設けられているキーの外観構成図である。
【００８４】
図２の撮影装置１１の筐体側面には、フォーカス位置を調整するためのフォーカスリング７１、倍率を調整するためのズームリング７２、アイリス（絞り）を調整するためのアイリスリング７３、カメラマニュアルキー７４、調整ダイヤル７５、オートフォーカスモードに設定するためのオートフォーカスキー７６、ユーザの所望のフォーカス位置を記憶するモードであるフォーカスマーキングモードに設定するためのフォーカスマーキングモード設定キー７７、フォーカスマーキングモードにおいて、フォーカス位置を記憶する（フォーカスマーキングする）ためのフォーカスマーキングＡ記憶キー７８およびフォーカスマーキングＢ記憶キー７９、ユーザにより任意のメニュー（機能）が割り当てられるユーザ設定キー８０乃至８２、入射光の透過を制限するND(Neutral Density)フィルタの使用の要否を設定するNDフィルタースイッチ８３、フォーカス合わせを行いやすくするために、パネル５３およびEVF５４の画面中央部を拡大するための拡大フォーカスキー８４、マニュアルフォーカスモードに設定するためのマニュアルフォーカスキー８５が配置されている。
【００８５】
さらに、撮影装置１１の筐体側面には、画像の再生を停止するSTOPキー８６、再生されている画像を巻き戻すREWキー８７、記録されている画像を再生するPLAYキー８８、再生されている画像を早送りするFFキー８９、再生されている画像のスロー再生を行うSLOWキー９０、再生されている画像を一時停止するPAUSEキー９１、再生されている画像に音声を録音させるRECキー９２および９３、再生されている画像に含まれる音声の音量を調整する音量調整キー９４、白とびが発生する恐れのある部分を縞模様で表示させるためのゼブラ設定キー９５、各種機能の設定状況を表示させるDISPLAYキー９６、ユーザにより任意のメニュー（機能）が割り当てられるユーザ設定キー９７乃至９９、画質調整プロファイルを選択する機能であるピクチャープロファイルキー１００、カメラの各種状態を確認するためのステータスチェックキー１０１が配置されている。
【００８６】
図３は、撮影装置１１の筐体背面（レンズ部２８と反対側の面）に設けられているキーの外観構成図である。
【００８７】
図３の撮影装置１１の筐体背面には、カメラ設定のオート／マニュアル操作を切替える切替スイッチ１１１、カメラ設定がマニュアルのときに設定可能な機能を実行するためのマニュアルゲインキー１１２、マニュアルシャッタースピードキー１１３、およびマニュアルホワイトバランスキー１１４、撮影装置１１の各種設定を行うメニュー画面を開くためのメニューキー１１５、メニュー選択のために使うダイヤル／決定キー１１６、録画開始／停止キー１１７、電源スイッチ１１８、ズームキー１１９、静止画記録キー１２０が配置されている。
【００８８】
図４は、撮影装置１１のGUI制御部２２、カメラ駆動制御部３２、およびベースバンド制御部３７の機能構成例を示すブロック図である。
【００８９】
図４の各構成は、GUI制御部２２が有するCPU２２−１およびカメラ駆動制御部３２が有するCPU３２−１が、所定のプログラムを実行することにより実現される。
【００９０】
GUI制御部２２は、GUI生成部１３４およびGUI生成制御部１３５から構成され、カメラ駆動制御部３２は、フォーカス位置情報取得部１３１、フォーカス位置情報記憶部１３２、および一致検出部１３３から構成され、ベースバンド制御部３７は、表示制御部１３６から構成される。
【００９１】
フォーカス位置情報取得部１３１は、GUI生成制御部１３５の制御に応じて、カメラ画像制御部３０を介して、レンズ部２８の現在のフォーカス位置と、合焦状態となる最も近景側のフォーカス位置である近景端、および合焦状態となる最も遠景側のフォーカス位置である遠景端とを検出することにより取得する。
【００９２】
さらに、フォーカス位置情報取得部１３１は、近景端および遠景端に基づき、例えば、近景端を０に割り当てるとともに、遠景端を１２７に割り当てることで、近景端と遠景端との間を、０乃至１２７の１２８の値の範囲として、その１２８の値の範囲によって、レンズ部２８の現在のフォーカス位置を正規化し、正規化後のフォーカス位置を表すフォーカス位置情報を、フォーカス位置情報記憶部１３２、一致検出部１３３、およびGUI生成部１３４に供給する。
【００９３】
フォーカス位置情報記憶部１３２は、GUI生成制御部１３５の制御に応じて、フォーカスマーキングＡ記憶キー７８やフォーカスマーキングＢ記憶キー７９が操作されたときのフォーカス位置を記憶する。
【００９４】
すなわち、フォーカス位置情報記憶部１３２は、フォーカスマーキングＡ記憶キー７８やフォーカスマーキングＢ記憶キー７９の操作に対応して行われるGUI生成制御部１３５の制御に応じて、フォーカス位置情報取得部１３１から供給されるフォーカス位置情報を記憶する。
【００９５】
ここで、フォーカス位置情報記憶部１３２に記憶されたフォーカス位置情報を、以下、適宜、記憶フォーカス位置情報という。
【００９６】
一致検出部１３３は、フォーカス位置情報取得部１３１から供給されるフォーカス位置情報（以下、現在フォーカス位置情報ともいう）と、フォーカス位置情報記憶部１３２に記憶された記憶フォーカス位置情報とを比較することにより、現在フォーカス位置情報と、記憶フォーカス位置情報との一致を検出する。一致検出部１３３は、記憶フォーカス位置情報と現在フォーカス位置情報との一致を検出した場合、一致を検出したことを示す一致情報をGUI生成部１３４に供給する。
【００９７】
GUI生成部１３４は、GUI生成制御部１３５からの制御に応じ、フォーカス位置情報取得部１３１からの現在フォーカス位置情報や、フォーカス位置情報記憶部１３２に記憶された記憶フォーカス位置情報、一致検出部１３３からの一致情報に基づき、フォーカス位置を表すGUIであるフォーカス位置画像を生成（描画）し、表示制御部１３６に供給する。
【００９８】
GUI生成制御部１３５は、キー／電源制御部２１から供給されるフォーカスマーキングモード設定キー７７や、フォーカスマーキングＡ記憶キー７８、フォーカスマーキングＢ記憶キー７９の操作に対応する操作信号に応じて、フォーカス位置情報取得部１３１、フォーカス位置情報記憶部１３２、およびGUI生成部１３４を制御する。
【００９９】
表示制御部１３６は、カメラ画像制御部３０から供給される画像データを、ドライバ５１を介して、パネル５３に表示（OSD表示）し、また、ドライバ５２を介して、EVF５４に表示する表示制御を行う。
【０１００】
さらに、表示制御部１３６は、GUI生成部１３４から供給されるフォーカス位置画像を、カメラ画像制御部３０から供給される画像データに対応する画像に重畳して、ドライバ５１を介して、パネル５３に表示し、また、ドライバ５２を介して、EVF５４に表示する表示制御を行う。
【０１０１】
すなわち、ユーザがフォーカスリング７１（図２）を手動で操作することによりフォーカス位置が調整されたレンズ部２８（光学系）を介して入射する被写体からの光は、CMOSセンサ２９に照射される。
【０１０２】
CMOSセンサ２９は、レンズ部２８からの光を受光して、光電変換することにより、被写体の画像に対応する画像信号を得て、カメラ画像制御部３０に供給する。
【０１０３】
カメラ画像制御部３０は、CMOSセンサ２９からの画像信号を増幅し、さらに、ガンマ補正等の必要な信号処理を施して、その結果得られる画像データを、表示制御部１３６に供給する。
【０１０４】
表示制御部１３６は、以上のようにして、カメラ画像制御部３０から供給される画像データに応じて、被写体の画像を、ドライバ５１を介して、パネル５３に表示する。すなわち、これにより、パネル５３では、いわゆるスルー画が表示される。なお、EVF５４でも、パネル５３と同様の表示が行われるが、以下では、その説明は、適宜省略する。
【０１０５】
次に、図５乃至図１１を参照して、図４のパネル５３に、被写体の画像とともに表示される、フォーカス位置画像について説明する。
【０１０６】
図５は、フォーカスマーキングモード設定キー７７が操作され、フォーカスマーキングモードとなったときに表示されるフォーカス位置画像を示す図である。
【０１０７】
ユーザによって、フォーカスマーキングモード設定キー７７が操作されると、GUI生成制御部１３５は、フォーカス位置情報の取得を開始するように、フォーカス位置情報取得部１３１を制御するとともに、フォーカス位置画像を生成するように、GUI生成部１３４を制御する。フォーカス位置情報取得部１３１は、GUI生成制御部１３５からの制御に応じて、現在フォーカス位置情報を取得し、フォーカス位置情報記憶部１３２、一致検出部１３３、およびGUI生成部１３４に供給する。
【０１０８】
GUI生成部１３４は、GUI生成制御部１３５の制御に応じ、フォーカス位置画像１４０を生成し、表示制御部１３６に供給する。
【０１０９】
すなわち、GUI生成部１３４は、一端である、例えば右端を近景端とし、他端である、例えば左端を遠景端とする、水平方向に延びるバー形状のアイコンであるバー１４３上の、フォーカス位置情報取得部１３１からの現在フォーカス位置情報が表す位置に、現在のフォーカス位置を表す現在マーク１４４を配置したフォーカス位置画像１４０を生成し、表示制御部１３６に供給する。
【０１１０】
これにより、表示制御部１３６では、図５に示すように、GUI生成部１３４からのフォーカス位置画像１４０が、カメラ画像制御部３０からの画像（以下、撮影画像ともいう）に重畳して、パネル５３に表示される。
【０１１１】
ここで、図５では（後述する図６乃至図１１でも同様）、撮影画像に、２つの被写体１４１および１４２が映っている。被写体１４１は、手前（近景）側に存在し、被写体１４２は、奥（遠景）側に存在する。
【０１１２】
また、フォーカス位置画像１４０のバー１４３の、近景端としての右端の右側には、近景端であることを表す人を模したアイコンが表示され、遠景端としての左端の左側には、遠景端であることを表す山を模したアイコンが表示される。
【０１１３】
その後、ユーザが、フォーカスリング７１を操作し、フォーカス位置を調整すると、フォーカス位置情報取得部１３１は、その調整後のフォーカス位置のフォーカス位置情報を取得し、現在フォーカス位置情報として、フォーカス位置情報記憶部１３２、一致検出部１３３、およびGUI生成部１３４に供給する。
【０１１４】
GUI生成部１３４は、フォーカス位置情報取得部１３１からの現在フォーカス位置情報に応じて、バー１４３上の、フォーカス位置情報取得部１３１からの現在フォーカス位置情報が表す位置に、現在マークを配置したフォーカス位置画像１４０を生成し（描画し直し）、表示制御部１３６に供給する。
【０１１５】
これにより、表示制御部１３６では、ユーザがフォーカスリングを操作して調整した後のフォーカス位置に対応する、バー１４３上の位置に、現在マーク１４４が移動したフォーカス位置画像１４０が、パネル５３に表示される。
【０１１６】
以上のように、現在マーク１４４は、フォーカスリング７１の操作に応じて調整されるフォーカス位置に応じて、バー１４３上を、１２８刻みで移動する。
【０１１７】
したがって、ユーザは、パネル５３に表示されたフォーカス位置画像１４０を確認しながら、フォーカスリング７１を回転（操作）してフォーカス位置を調整することができる。
【０１１８】
ここで、図５においては、フォーカス位置は、被写体１４２よりも近い位置にある被写体１４１が合焦状態となる位置になっている。
【０１１９】
図６は、図５におけるフォーカス位置で、フォーカスマーキングＡ記憶キー７８が操作（押下）された直後のフォーカス位置画像１４０を示す図である。
【０１２０】
ユーザによって、フォーカスマーキングＡ記憶キー７８が押下されると、GUI生成制御部１３５は、フォーカス位置情報の記憶の指示をフォーカス位置情報記憶部１３２に供給する。フォーカス位置情報記憶部１３２は、GUI生成制御部１３５からの指示に応じて、フォーカスマーキングＡ記憶キー７８が操作されたときの、フォーカス位置情報取得部１３１から供給されるフォーカス位置情報（現在フォーカス位置情報）を、第１の記憶フォーカス位置情報として記憶する。
【０１２１】
GUI生成部１３４は、フォーカス位置情報記憶部１３２に、第１の記憶フォーカス位置情報が記憶されると、バー１４３上の、フォーカス位置情報取得部１３１からの現在フォーカス位置情報が表す位置に、現在マーク１４４を配置するとともに、フォーカス位置情報記憶部１３２に記憶された第１の記憶フォーカス位置情報が表す位置に、フォーカスマーキングＡ記憶キー７８が操作されたときのフォーカス位置（第１の記憶フォーカス位置情報が表す位置）を表す記憶マーク１４５を配置したフォーカス位置画像１４０を生成し、表示制御部１３６に供給する。
【０１２２】
表示制御部１３６では、図６に示すように、GUI生成部１３４からのフォーカス位置画像１４０が、カメラ画像制御部３０からの被写体１４１および被写体１４２が映っている撮影画像に重畳して、パネル５３に表示される。
【０１２３】
また、フォーカス位置情報記憶部１３２に第１の記憶フォーカス位置情報が記憶されると、一致検出部１３３は、フォーカス位置情報取得部１３１からの現在フォーカス位置情報と、フォーカス位置情報記憶部１３２に記憶された第１の記憶フォーカス位置情報との一致の検出を開始し、現在フォーカス位置情報と、フォーカス位置情報記憶部１３２に記憶された第１の記憶フォーカス位置情報との一致を検出すると、その旨を表す一致情報を、GUI生成部１３４に供給する。
【０１２４】
GUI生成部１３４は、一致検出部１３３からの一致情報が供給されると、現在フォーカス位置情報と第１の記憶フォーカス位置情報とが一致した旨を、ユーザに報知する。
【０１２５】
すなわち、GUI生成部１３４は、フォーカス位置画像１４０の表示を変化させることで、現在フォーカス位置情報と、第１の記憶フォーカス位置情報とが一致した旨を報知する。
【０１２６】
具体的には、GUI生成部１３４は、図５の場合と異なる色の現在マーク１４４を配置したフォーカス位置画像１４０を生成する。
【０１２７】
この場合、パネル５３では、現在マーク１４４が、図６に示すように、図５の場合の色（以下、適宜、通常色という）とは異なる色（以下、適宜、一致色という）になったフォーカス位置画像１４０が表示される。
【０１２８】
すなわち、フォーカスマーキングＡ記憶キー７８が操作され、フォーカス位置情報記憶部１３２に、第１の記憶フォーカス位置情報が記憶された直後においては、現在フォーカス位置情報と、第１の記憶フォーカス位置情報とは一致しているため、一致検出部１３３は、一致情報を、GUI生成部１３４に供給する。
【０１２９】
その結果、現在マーク１４４は、現在フォーカス位置情報と、第１の記憶フォーカス位置情報とが一致していない図５の場合の通常色と異なる一致色で表示される。
【０１３０】
なお、図５では、現在マーク１４４は、通常色としての、例えば、白色で表示され、図６では、現在マーク１４４は、一致色としての、例えば、緑色で表示されている。
【０１３１】
さらに、図６では、記憶マーク１４５は、現在マーク１４４と同一の位置に表示されているため、現在マーク１４４に隠されて見えない状態になっている。
【０１３２】
また、図６においては、記憶マーク１４５の上側に、フォーカスマーキングＡ記憶キー７８が押下（操作）されたときのフォーカス位置であることを示す「Ａ」の文字が表示されている。なお、フォーカスマーキングＡ記憶キー７８が操作されたときのフォーカス位置（第１の記憶フォーカス位置情報が表すフォーカス位置）を、以下、適宜、フォーカス位置Ａという。
【０１３３】
図７は、フォーカスマーキングＡ記憶キー７８の操作後、フォーカス位置Ａとは異なるフォーカス位置において、フォーカスマーキングＢ記憶キー７９が押下された直後のフォーカス位置画像１４０を示す図である。
【０１３４】
フォーカスマーキングＡ記憶キー７８の操作後、ユーザが、フォーカスリング７１を操作し、フォーカス位置を調整すると、フォーカス位置情報取得部１３１は、その調整後のフォーカス位置のフォーカス位置情報を取得し、現在フォーカス位置情報として、フォーカス位置情報記憶部１３２、一致検出部１３３、およびGUI生成部１３４に供給する。
【０１３５】
GUI生成部１３４は、フォーカス位置情報取得部１３１からの現在フォーカス位置情報に応じて、上述したように、ユーザがフォーカスリング７１を操作して調整した後のフォーカス位置に対応する、バー１４３上の位置に、現在マーク１４４が移動したフォーカス位置画像１４０を描画し直す。
【０１３６】
これにより、表示制御部１３６では、ユーザがフォーカスリングを操作して調整した後のフォーカス位置に対応する、バー１４３上の位置に、現在マーク１４４が移動したフォーカス位置画像１４０が、パネル５３に表示される。
【０１３７】
その後、ユーザによって、フォーカスマーキングＢ記憶キー７９が押下されると、GUI生成制御部１３５は、フォーカス位置情報の記憶の指示をフォーカス位置情報記憶部１３２に供給する。フォーカス位置情報記憶部１３２は、GUI生成制御部１３５からの指示に応じて、フォーカスマーキングＢ記憶キー７９が操作されたときの、フォーカス位置情報取得部１３１からのフォーカス位置情報（現在フォーカス位置情報）を、第２の記憶フォーカス位置情報として記憶する。
【０１３８】
GUI生成部１３４は、フォーカス位置情報記憶部１３２に、第２の記憶フォーカス位置情報が記憶されると、第１の記憶フォーカス位置情報がフォーカス位置情報記憶部１３２に記憶された場合と同様に、フォーカス位置画像１４０を生成し、表示制御部１３６に供給する。
【０１３９】
すなわち、いまの場合、フォーカス位置情報記憶部１３２には、第１および第２の記憶フォーカス位置情報が記憶されているので、GUI生成部１３４は、バー１４３上の、フォーカス位置情報取得部１３１からの現在フォーカス位置情報が表す位置に、現在マーク１４４を配置するとともに、フォーカス位置情報記憶部１３２に記憶された第１の記憶フォーカス位置情報が表す位置に、第１の記憶フォーカス位置情報が表す位置（フォーカス位置Ａ）を表す記憶マーク１４５を配置し、かつ、フォーカス位置情報記憶部１３２に記憶された第２の記憶フォーカス位置情報が表す位置に、第２の記憶フォーカス位置情報が表す位置を表す記憶マーク１４６を配置を配置したフォーカス位置画像１４０を生成し、表示制御部１３６に供給する。
【０１４０】
これにより、表示制御部１３６では、図７に示すように、GUI生成部１３４からのフォーカス位置画像１４０が、カメラ画像制御部３０からの被写体１４１および被写体１４２が映っている撮影画像に重畳して、パネル５３に表示される。
【０１４１】
なお、フォーカスマーキングＢ記憶キー７９が操作され、第２の記憶フォーカス位置情報がフォーカス位置情報記憶部１３２に記憶された直後においては、フォーカスマーキングＡ記憶キー７８が操作された場合と同様に、一致検出部１３３は、フォーカス位置情報取得部１３１からの現在フォーカス位置情報と、フォーカス位置情報記憶部１３２に記憶された第２の記憶フォーカス位置情報との一致の検出を開始する。
【０１４２】
第２の記憶フォーカス位置情報が記憶された直後においては、現在フォーカス位置情報と、第２の記憶フォーカス位置情報とは一致しているため、一致検出部１３３は、一致情報を、GUI生成部１３４に供給し、GUI生成部１３４は、一致検出部１３３からの一致情報に基づき、現在マーク１４４を一致色で描画する。
【０１４３】
したがって、図７では、図６の場合と同様に、現在マーク１４４は、通常色とは異なる一致色で表示される。
【０１４４】
なお、図７でも、図６と同様に、記憶マーク１４６は、現在マーク１４４と同一の位置に表示されているため、現在マーク１４４に隠されて見えない状態になっている。
【０１４５】
また、図７においては、記憶マーク１４６の下側に、フォーカスマーキングＢ記憶キー７９が押下（操作）されたときのフォーカス位置であることを示す「Ｂ」の文字が表示されている。なお、フォーカスマーキングＢ記憶キー７９が操作されたときのフォーカス位置（第２の記憶フォーカス位置情報が表すフォーカス位置）を、以下、適宜、フォーカス位置Ｂという。
【０１４６】
図７において、フォーカス位置Ｂは、被写体１４１よりも遠い位置にある被写体１４２が合焦状態となる位置になっている。
【０１４７】
図８は、フォーカスマーキングＢ記憶キー７９の操作後、ユーザがフォーカスリング７１を操作して、フォーカス位置を、フォーカス位置Ｂから近景側の位置に調整したときのフォーカス位置画像１４０を示す図である。
【０１４８】
図８においては、バー１４３上の現在マーク１４４は、フォーカス位置Ａを表す記憶マーク１４５とフォーカス位置Ｂを表す記憶マーク１４６との間にあり、その現在マーク１４４が表すフォーカス位置は、被写体１４１と被写体１４２との間に位置するため、被写体１４１および被写体１４２のいずれも合焦状態となっていない。
【０１４９】
なお、図８では（後述する図９も同様）、現在フォーカス位置情報は、第１および第２の記憶フォーカス位置情報のいずれとも一致していないため、現在マーク１４４は、通常色となっている。
【０１５０】
図９は、図８の状態から、ユーザがフォーカスリング７１を操作して、フォーカス位置を、さらに近景側の位置に調整したときのフォーカス位置画像１４０を示す図である。
【０１５１】
図９においては、バー１４３上の現在マーク１４４は、フォーカス位置Ａを表す記憶マーク１４５に近づいており、その現在マーク１４４が表すフォーカス位置は、被写体１４１が合焦状態になりつつある位置になっている。
【０１５２】
図１０は、ユーザがフォーカスリング７１を操作して、フォーカス位置を、図９の場合よりもさらに近景側の位置に調整したときのフォーカス位置画像１４０を示す図である。
【０１５３】
図１０では、現在のフォーカス位置がフォーカス位置Ａと一致している。
【０１５４】
すなわち、一致検出部１３３は、上述したように、フォーカス位置情報取得部１３１からの現在フォーカス位置情報と、フォーカス位置情報記憶部１３２に記憶された第１および第２の記憶フォーカス位置情報それぞれとの一致を検出しており、ユーザがフォーカスリング７１を操作して、フォーカス位置を、図９の場合よりもさらに近景側の位置に調整し、現在フォーカス位置情報と、フォーカス位置情報記憶部１３２に記憶された第１の記憶フォーカス位置情報とが一致すると、一致情報を、GUI生成部１３４に供給する。
【０１５５】
GUI生成部１３４は、一致検出部１３３からの一致情報に基づき、現在マーク１４４を一致色で描画し、これにより、パネル５３では、図１０に示すように、現在マーク１４４が通常色とは異なる一致色となっているフォーカス位置画像１４０が表示される。
【０１５６】
このように、現在のフォーカス位置と、予め記憶したフォーカス位置Ａとが一致したときに、現在マーク１４４の色が変わるので、ユーザは、現在マーク１４４の色が変わったときにフォーカスリング７１の回転（操作）を留めることで、フォーカス位置を、ユーザの所望する位置、すなわち、例えば、前もって調べておいた、被写体１４１が合焦状態となるフォーカス位置Ａに、正確かつ容易に調整することができる。
【０１５７】
なお、フォーカス位置画像１４０では、フォーカスマーキングＡ記憶キー７８が操作されたときのフォーカス位置を表す「Ａ」の文字が、記憶マーク１４５の近くに表示されるが（図６乃至図１０）、この「Ａ」の文字も、現在マーク１４４と同様に、現在フォーカス位置情報と第１の記憶フォーカス位置情報とが一致していないときには、通常色で表示され、現在フォーカス位置情報と第１の記憶フォーカス位置情報とが一致しているときには、一致色で表示される。
【０１５８】
また、フォーカス位置画像１４０では、フォーカスマーキングＢ記憶キー７９が操作されたときのフォーカス位置を表す「Ｂ」の文字が、記憶マーク１４６の近くに表示されるが（図７乃至図１０）、この「Ｂ」の文字も、現在マーク１４４と同様に、現在フォーカス位置情報と第２の記憶フォーカス位置情報とが一致していないときには、通常色で表示され、現在フォーカス位置情報と第２の記憶フォーカス位置情報とが一致しているときには、一致色で表示される。
【０１５９】
図１１は、フォーカス位置Ａの記憶フォーカス位置情報と、フォーカス位置Ｂの記憶フォーカス位置情報とが同一であり、現在のフォーカス位置がフォーカス位置ＡおよびＢに一致したときのパネル５３の表示の例を示す図である。
【０１６０】
図１１においては、パネル５３において、バー１４３上の現在マーク１４４が一致色で表示されるとともに、フォーカス位置Ａであることを示す「Ａ」の文字と、フォーカス位置Ｂであることを示す「Ｂ」の文字の色が一致色で表示される。
【０１６１】
すなわち、図１１は、あるフォーカス位置において、フォーカスマーキングＡ記憶キー７８またはフォーカスマーキングＢ記憶キー７９の一方が操作され、続けて、他方が操作されたときに、GUI生成部１３４で生成されるフォーカス位置画像１４０を示している。
【０１６２】
図１１では、現在フォーカス位置情報と、第１および第２の記憶フォーカス位置情報のそれぞれとが一致している。
【０１６３】
なお、フォーカスマーキングＡ記憶キー７８が操作されたときに、フォーカス位置情報記憶部１３２に記憶された第１の記憶フォーカス位置情報は、再度、フォーカスマーキングＡ記憶キー７８が操作されると、フォーカス位置情報記憶部１３２から消去（削除）される。フォーカスマーキングＢ記憶キー７９が操作されたときに、フォーカス位置情報記憶部１３２に記憶された第２の記憶フォーカス位置情報も同様である。
【０１６４】
また、GUI生成部１３４は、フォーカスマーキングモード設定キー７７が再度操作され、フォーカスマーキングモードが解除されると、フォーカス位置画像１４０の生成（描画）、および、表示制御部１３６への供給を停止する。したがって、フォーカスマーキングモード設定キー７７が操作されるたびに、フォーカス位置画像１４０の表示は、交互に、オン、オフされる。
【０１６５】
次に、撮影装置１１のフォーカスマーキングモード設定の処理について説明する。
【０１６６】
図１２は、撮影装置１１のフォーカスマーキングモード設定の処理を説明するフローチャートである。
【０１６７】
ステップＳ１１において、GUI生成制御部１３５は、フォーカスマーキングモード設定キー７７が押下（操作）されたかを判定する。
【０１６８】
ステップＳ１１において、フォーカスマーキングモード設定キー７７が押下されていないと判定された場合、フォーカスマーキングモード設定キー７７が押下されるまで、ステップＳ１１の処理が繰り返される。
【０１６９】
一方、ステップＳ１１において、フォーカスマーキングモード設定キー７７が押下されたと判定された場合、GUI生成制御部１３５は、動作モードを、通常モードから、フォーカスマーキングモードとし、さらに、処理を開始するようにフォーカス位置情報取得部１３１およびGUI生成部１３４を制御して、処理はステップＳ１２に進む。
【０１７０】
ステップＳ１２において、フォーカス位置情報取得部１３１は、現在フォーカス位置情報を取得し、フォーカス位置情報記憶部１３２、一致検出部１３３、およびGUI生成部１３４に供給して、処理はステップＳ１３に進む。
【０１７１】
ステップＳ１３において、GUI生成部１３４は、フォーカス位置情報取得部１３１からの現在フォーカス位置情報に基づき、図５で説明したフォーカス位置画像１４０を描画（生成）して、表示制御部１３６に供給する。さらに、ステップＳ１３では、表示制御部１３６が、GUI生成部１３４からのフォーカス位置画像１４０を、カメラ画像制御部３０からの撮影画像に重畳して、パネル５３に表示し、処理は終了する。
【０１７２】
なお、GUI生成制御部１３５は、フォーカスマーキングモード設定キー７７が再度操作されると、フォーカスマーキングモードを解除して、動作モードを通常モードとする。そして、フォーカス位置画像１４０の表示は、フォーカスマーキングモードが解除されると（動作モードが通常モードとなると）、オフされる（フォーカス位置画像１４０は表示されなくなる）。
【０１７３】
次に、フォーカスマーキングモードにおける、撮影装置１１のフォーカスマーキングの処理について説明する。
【０１７４】
図１３は、撮影装置１１のフォーカスマーキングの処理を説明するフローチャートである。
【０１７５】
フォーカスマーキングモードでは、ステップＳ３１において、フォーカス位置情報取得部１３１は、現在フォーカス位置情報を取得し、フォーカス位置情報記憶部１３２、一致検出部１３３、およびGUI生成部１３４に供給して、処理はステップＳ３２に進む。
【０１７６】
ステップＳ３２において、GUI生成部１３４は、フォーカス位置情報取得部１３１からの現在フォーカス位置情報に応じて、バー１４３上の、フォーカス位置情報取得部１３１からの現在フォーカス位置情報が表す位置に、現在マーク１４４を配置したフォーカス位置画像１４０を描画し直し、表示制御部１３６に供給する。さらに、ステップＳ３２では、表示制御部１３６が、GUI生成部１３４からのフォーカス位置画像１４０を、パネル５３に表示して、処理はステップＳ３３に進む。
【０１７７】
ステップＳ３３において、GUI生成制御部１３５は、フォーカスマーキングＡ記憶キー７８またはフォーカスマーキングＢ記憶キー７９が押下されたかを判定する。
【０１７８】
ステップＳ３３において、フォーカスマーキングＡ記憶キー７８およびフォーカスマーキングＢ記憶キー７９のいずれも押下されていないと判定された場合、処理はステップＳ３１に戻る。
【０１７９】
また、ステップＳ３３において、フォーカスマーキングＡ記憶キー７８、または、フォーカスマーキングＢ記憶キー７９が押下されたと判定された場合、処理はステップＳ３４に進み、フォーカス位置情報記憶部１３２は、フォーカス位置情報取得部１３１からの現在フォーカス位置情報を記憶フォーカス位置情報（第１または第２の記憶フォーカス位置情報）として記憶し、処理はステップＳ３５に進む。
【０１８０】
ステップＳ３５において、GUI生成部１３４は、フォーカス位置情報記憶部１３２に、記憶フォーカス位置情報が記憶されると、バー１４３上の、フォーカス位置情報取得部１３１からの現在フォーカス位置情報が表す位置に、現在マーク１４４を配置するとともに、フォーカス位置情報記憶部１３２に記憶された記憶フォーカス位置情報が表す位置に、その位置を表す記憶マーク１４５または記憶マーク１４６を配置したフォーカス位置画像１４０を生成し、表示制御部１３６に供給する。さらにステップＳ３５では、表示制御部１３６が、GUI生成部１３４からのフォーカス位置画像１４０を、パネル５３に表示する。その後、処理はステップＳ３１に戻り、これ以降の処理が繰り返される。
【０１８１】
なお、上述したように、フォーカスマーキングＡ記憶キー７８、またはフォーカスマーキングＢ記憶キー７９が操作されたときに、フォーカス位置情報記憶部１３２に記憶された記憶フォーカス位置情報（第１または第２の記憶フォーカス位置情報）は、再度、フォーカスマーキングＡ記憶キー７８、またはフォーカスマーキングＢ記憶キー７９が操作されると、フォーカス位置情報記憶部１３２から消去される。
【０１８２】
次に、現在フォーカス位置情報と、フォーカス位置情報記憶部１３２に記憶された記憶フォーカス位置情報との一致を検出し、一致しない場合には、現在マーク１４４を通常色で表示し、一致する場合には、現在マーク１４４を通常色とは異なる一致色で表示するフォーカス位置一致検出処理について説明する。
【０１８３】
図１４は、撮影装置１１のフォーカス位置一致検出処理を説明するフローチャートである。
【０１８４】
上述したように、フォーカスマーキングモードでは、図１３のフォーカスマーキングの処理が行われ、これにより、一致検出部１３３およびGUI生成部１３４には、フォーカス位置情報取得部１３１から、現在フォーカス位置情報が供給される。
【０１８５】
フォーカス位置一致検出処理では、ステップＳ５１において、一致検出部１３３は、フォーカス位置情報取得部１３１からの現在フォーカス位置情報と、フォーカス位置情報記憶部１３２に記憶された記憶フォーカス位置情報（第１または第２の記憶フォーカス位置情報）とが一致しているかどうかを判定する。
【０１８６】
ステップＳ５１において、フォーカス位置情報取得部１３１からの現在フォーカス位置情報と、フォーカス位置情報記憶部１３２に記憶された記憶フォーカス位置情報とが一致していないと判定された場合、一致検出部１３３は、一致情報を、GUI生成部１３４には供給せずに、処理はステップＳ５２に進む。
【０１８７】
ステップＳ５２では、GUI生成部１３４は、図１３のステップＳ３５でフォーカス位置画像１４０を描画するときの現在マーク１４４の描画を通常色で行うように設定し、処理はステップＳ５１に戻る。
【０１８８】
また、ステップＳ５１において、フォーカス位置情報取得部１３１からの現在フォーカス位置情報と、フォーカス位置情報記憶部１３２に記憶された記憶フォーカス位置情報とが一致していると判定された場合、一致検出部１３３は、現在フォーカス位置情報と記憶フォーカス位置情報とが一致している旨の一致情報を、GUI生成部１３４に供給し、処理はステップＳ５３に進む。
【０１８９】
ステップＳ５３において、GUI生成部１３４は、一致検出部１３３から一致情報が供給されると、図１３のステップＳ３５でフォーカス位置画像１４０を描画するときの現在マーク１４４の描画を、通常色とは異なる一致色で行うように設定し、処理はステップＳ５１に戻る。
【０１９０】
以上のように、撮影装置１１では、現在フォーカス位置情報を取得し、フォーカスマーキングＡ記憶キー７８またはフォーカスマーキングＢ記憶キー７９が操作されたときの現在フォーカス位置情報を、記憶フォーカス位置情報として記憶し、一端を近景端とするとともに、他端を遠景端とするバー１４３上の、現在フォーカス位置情報が表す位置に、その位置を表す現在マーク１４４を配置するとともに、記憶フォーカス位置情報が表す位置に、その位置を表す記憶マーク１４５または記憶マーク１４６を配置したフォーカス位置画像１４０を表示するので、ユーザは、そのフォーカス位置画像１４０を見ながら、フォーカスリング７１を操作することで、フォーカス位置を、前もって決めておいた記憶フォーカス位置情報が表す位置に、手動で、容易に調整することができる。
【０１９１】
さらに、撮影装置１１では、現在フォーカス位置と、記憶フォーカス位置との一致を検出し、その一致が検出されたときに、現在マーク１４４を表示する色を、通常色から一致色に変えることで、現在フォーカス位置情報と記憶フォーカス位置情報とが一致した旨を報知するので、例えば、ユーザは、現在マーク１４４の色が変わったときにフォーカスリング７１の回転を留めることで、フォーカス位置を、ユーザの所望するフォーカス位置に、手動で、より正確に戻すことができる。
【０１９２】
また、ユーザは、パネル５３に表示されたフォーカス位置画像１４０を確認しながらフォーカスリング７１を操作することができるので、１人で画枠などの調整をしながら、容易に、フォーカス位置の調整をすることができ、人件費を抑えることができる。さらに、撮影のミスの可能性を低減することができる。
【０１９３】
また、近景端と遠景端との間を、０乃至１２７の１２８の値の範囲として、その１２８の値の範囲によって、レンズ部２８の現在のフォーカス位置を正規化することで、現在マーク１４４は、フォーカスリング７１の操作に応じて調整されるフォーカス位置に応じて、バー１４３上を、１２８刻みで移動するので、微妙なフォーカス位置の調整をすることが可能になり、プロレベル、またはセミプロレベルのユーザの要求に応えることができる。
【０１９４】
なお、近景端と遠景端との間を、１２８より大きい値の範囲として、その値の範囲によって、現在のフォーカス位置を正規化するようにすることで、より細かなフォーカス位置の調整をすることができる。
【０１９５】
さらに、上述した説明では、現在フォーカス位置情報と記憶フォーカス位置情報とが一致した旨を、現在マーク１４４の色を変えることで報知するようにしたが、現在フォーカス位置情報と記憶フォーカス位置情報とが一致した旨の報知は、その他、例えば、現在マーク１４４の形や大きさを変えることや、ビープ音等の音を出力すること等によって行うことができる。
【０１９６】
また、上述した説明においては、フォーカス位置情報記憶部１３２には、フォーカスマーキングＡ記憶キー７８が操作されたときの現在フォーカス位置情報である第１の記憶フォーカス位置情報と、フォーカスマーキングＢ記憶キー７９が操作されたときの現在フォーカス位置情報である第２の記憶フォーカス位置情報との、２つの記憶フォーカス位置情報を記憶するようにしたが、１つのみの記憶フォーカス位置情報、または、３つ以上の記憶フォーカス位置情報がフォーカス位置情報記憶部１３２に記憶されてもよい。
【０１９７】
ここで、フォーカス位置情報記憶部１３２に、３つ以上の記憶フォーカス位置情報を記憶するために、ユーザ設定キー８０乃至８２および９７乃至９９のいずれかに、フォーカスマーキングＡ記憶キー７８やフォーカスマーキングＢ記憶キー７９と同様の機能を割り当てることができる。
【０１９８】
また、本実施の形態では、フォーカス位置について、フォーカス位置画像１４０を表示するようにしたが、アイリスやホワイトバランス等について、フォーカス位置画像１４０と同様のGUIを表示することが可能である。
【０１９９】
［他の実施の形態］
ところで、ディジタルビデオカメラ等の撮影装置を用いた撮影現場では、撮影終了後の編集作業や管理のときに画像データを区別しやすくするように、撮影シーンの変更やテープの交換をする毎に、タイムコードの値を１時間分、２時間分、・・・と切り上げて記録することが一般的になっている。
【０２００】
一方、例えば、カメラ一体型VTR（Video Tape Recorder）で撮影され記録された画像信号に含まれるタイムコードから、撮影シーンの変更(開始)の位置を検出し、その位置の線画情報を編集用のコンピュータで読み取ることで、編集作業をより簡単に、かつ短時間で行う技術が提案されている（例えば、特許第３５０１１５６号参照）。
【０２０１】
かかる技術によれば、上述したように、値を切り上げてタイムコードを記録しておくことで、編集作業の効率化を図ることができる。
【０２０２】
しかしながら、撮影シーンの変更やテープの交換をする毎に、タイムコードの値を１時間分ずつ切り上げる操作、すなわち、例えば、ビデオカメラのメニューから、タイムコードの設定のための、汎用のタイムコード設定画面を開き、そのタイムコード設定画面において、タイムコードの時間、分、秒、フレームの各単位を順次変更する操作は、ユーザにとって煩わしい。
【０２０３】
そこで、撮影装置１１では、タイムコードの切り上げを簡単な操作で行うことができるようになっている。
【０２０４】
図１５は、撮影装置１１のタイムコードに関係する部分の機能構成例を示すブロック図である。
【０２０５】
図１５の各構成は、GUI制御部２２が有するCPU２２−１、および機械駆動制御部４６が有するCPU４６−１が、所定のプログラムを実行することにより実現される。
【０２０６】
図１５において、撮影装置１１は、入力部１５１、入力制御部１５２、タイムコード切り上げ部１５３、タイムコード管理部１５４、撮影部１５５、撮影制御部１５６、タイムコード付加部１５７、表示制御部１５８、表示部１５９、記録制御部１６０、および記録部１６１から構成される。
【０２０７】
入力部１５１は、図２のユーザ設定キー８０乃至８２およびユーザ設定キー９７乃至９９や、図３のメニューキー１１５、ダイヤル／決定キー１１６、録画開始／停止キー１１７等、および図１のキー／電源制御部２１に対応し、ユーザによる操作に対応する操作信号を入力制御部１５２に供給（入力）する。
【０２０８】
入力制御部１５２は、図１のGUI制御部２２に対応し、入力部１５１からの操作信号に応じた指示を、タイムコード切り上げ部１５３、タイムコード付加部１５７、および記録制御部１６０等に供給する。
【０２０９】
より具体的には、入力制御部１５２は、入力部１５１（メニューキー１１５およびダイヤル／決定キー１１６）からの操作信号に応じて、タイムコードの切り上げの指示を、タイムコード切り上げ部１５３に供給する。また、入力制御部１５２は、入力部１５１（録画開始／停止キー１１７）からの操作信号に応じて、録画の開始の指示を、タイムコード付加部１５７および記録制御部１６０に供給する。
【０２１０】
その他、入力制御部１５２は、各種の操作信号を、必要なブロックに供給する。
【０２１１】
タイムコード切り上げ部１５３は、図１のGUI制御部２２に対応し、入力制御部１５２から供給された、タイムコードの切り上げの指示に応じて、タイムコード管理部１５４が管理しているタイムコードを取得し、そのタイムコードの値を所定の単位で切り上げ、タイムコード管理部１５４に供給する。
【０２１２】
より具体的には、タイムコード切り上げ部１５３は、タイムコード管理部１５４において、現在保持されているタイムコードの、例えば、時間の（単位の）値に１を加え、分、秒、およびフレームの（単位の）値を０とする。
【０２１３】
タイムコード管理部１５４は、図１の機械駆動制御部４６に対応し、タイムコード付加部１５７が画像データ（AVデータ）に付加するタイムコードを管理する。すなわち、タイムコード管理部１５４は、画像データに付加すべきタイムコードを、タイムコード付加部１５７に供給し、また、画像の記録（録画）が終了したときのタイムコードや、タイムコード切り上げ部１５３から供給されるタイムコードを記憶する。
【０２１４】
撮影部１５５は、図１のレンズ部２８およびCMOSセンサ２９に対応し、撮影制御部１５６の制御に応じて、被写体を撮影し、その被写体に対応する画像データ（画像信号）を撮影制御部１５６に供給する。
【０２１５】
撮影制御部１５６は、図１のカメラ画像制御部３０に対応し、撮影部１５５を制御し、撮影部１５５による撮影の結果得られた画像データに、増幅やガンマ補正等の必要な信号処理を施して、タイムコード付加部１５７に供給する。
【０２１６】
タイムコード付加部１５７は、図１のベースバンド制御部３７、HDVコーデック４１、およびDVコーデック４５に対応し、タイムコード管理部１５４からのタイムコードを、撮影制御部１５６から供給された画像データに、フレーム単位で付加する。
【０２１７】
すなわち、タイムコード管理部１５４は、記憶しているタイムコードを、フレーム単位でカウントアップして、タイムコード付加部１５７に供給する。タイムコード付加部１５７は、タイムコード管理部１５４からのタイムコードを、撮影制御部１５６から供給されてくる画像データに、フレーム単位で付加する。
【０２１８】
タイムコード付加部１５７は、タイムコードが付加された画像データを、表示制御部１５８および記録制御部１６０に供給する。
【０２１９】
表示制御部１５８は、図１のベースバンド制御部３７に対応し、表示部１５９の表示を制御し、タイムコード付加部１５７から供給された、タイムコードが付加された画像データに対応する画像を、タイムコードとともに、表示部１５９に表示させる。
【０２２０】
表示部１５９は、図１のパネル５３やEVF５４に対応し、表示制御部１５８の制御に応じた表示を行う。
【０２２１】
記録制御部１６０は、図１のテープデッキ制御部４７に対応し、入力制御部１５２からの、録画の開始の指示に応じて、タイムコード付加部１５７から供給されてくる画像データ（タイムコード付きの画像データ）を、図１のテープデッキ４８に対応する記録部１６１に記録させる。
【０２２２】
次に、図１６および図１７を参照して、タイムコードを切り上げるときに表示部１５９に表示されるタイムコード切り上げ設定画面について説明する。
【０２２３】
図１６は、入力部１５１が、タイムコード切り上げ設定画面を表示するように操作された直後に表示部１５９に表示されるタイムコード切り上げ設定画面を示す図である。
【０２２４】
図１６の例において、表示部１５９には、撮影部１５５によって撮影されている画像とともに、タイムコード１７１およびタイムコード切り上げ設定画面１７２がOSD（On Screen Display）表示されている。また、表示部１５９の左上には、バッテリの残量を表すバッテリ残量マークが表示されており、タイムコード１７１の左側には、撮影装置１１がスタンバイ状態（録画待機中）であることを示す「STBY」の文字が表示されている。
【０２２５】
図１６の例において、表示部１５９に表示されている画像は、いま撮影部１５５が撮影している、いわゆるスルー画（撮影画像）である。
【０２２６】
図１６において、タイムコード１７１は、「01:21:36:08」になっており、１番左側の「01」の単位は時間であり、左側から２番目の「21」の単位は分であり、左側から３番目の「36」の単位は秒であり、１番右側の「08」の単位はフレーム（例えば３０分の１秒）である。タイムコード１７１である「01:21:36:08」は、前回、撮影装置１１による画像データの記録が終了したときのタイムコードである。
【０２２７】
タイムコード切り上げ設定画面１７２は、ユーザによる入力部１５１（メニューキー１１５およびダイヤル／決定キー１１６）の操作によって表示される。タイムコード切り上げ設定画面１７２の左上に表示されている「TC COUNTUP」は、タイムコード切り上げ設定画面１７２がタイムコードの切り上げを行うための画面メニューであることを示す。そして、ユーザによる入力部１５１の操作により、タイムコード切り上げ設定画面１７２の中央部に表示されている「YES」および「NO」のうちの「YES」が選択、確定されることによって、タイムコード切り上げ処理が実行される。
【０２２８】
なお、「NO」が選択、確定された場合、タイムコード切り上げ処理は実行されずに、タイムコード切り上げ設定画面１７２が閉じられる。
【０２２９】
また、タイムコード切り上げ設定画面１７２の最下部に表示されている「［MENU：END］」は、メニューキー１１５を操作することで、タイムコード切り上げ設定画面１７２が閉じられることを表している。
【０２３０】
図１７は、図１６のタイムコード切り上げ設定画面１７２において「YES」が選択、確定され、タイムコード切り上げ処理が実行されたときの表示部１５９の表示の例を示す図である。
【０２３１】
図１７においては、タイムコード１７１は、タイムコード切り上げ処理によって、図１６の例における「01:21:36:08」の、時間の値に１が加えられ、分、秒、およびフレームの値が０とされた「02:00:00:00」になっている。
【０２３２】
また、タイムコード切り上げ設定画面１７２の中央には、タイムコード切り上げ処理が終了したことを表す「Completed.」の文字が表示されている。
【０２３３】
図１８は、撮影装置１１のタイムコード切り上げ処理を説明するフローチャートである。
【０２３４】
ユーザが、タイムコード切り上げ設定画面１７２を表示するように、入力部１５１（メニューキー１１５およびダイヤル／決定キー１１６）を操作すると、ステップＳ９０において、入力制御部１５２は、GUIとしてのタイムコード切り上げ設定画面１７２を生成（描画）して、表示制御部１５８に供給する。さらに、ステップＳ９０では、表示制御部１５８が、タイムコード切り上げ設定画面１７２を、撮影部１５５によって撮影されているスルー画に重畳する形で、表示部１５９に表示する。
【０２３５】
ここで、タイムコード管理部１５４は、記憶しているタイムコードを、タイムコード付加部１５７に供給しており、タイムコード付加部１５７は、タイムコード管理部１５４からのタイムコードを、撮影制御部１５６からの画像データに付加して、表示制御部１５８に供給する。
【０２３６】
これにより、表示制御部１５８では、図１６で示したように、撮影部１５５によって撮影されているスルー画に重畳する形で、タイムコードとタイムコード切り上げ設定画面１７２とが、表示部１５９に表示される。
【０２３７】
そして、処理は、ステップＳ９０からステップＳ９１に進み、入力制御部１５２は、タイムコードの切り上げを指示する切り上げ指示操作がされたか否かを判定する。ステップＳ９１において、切り上げ指示操作がされていないと判定された場合、処理はステップＳ９１に戻る。
【０２３８】
ここで、切り上げ指示操作がされず、ユーザが、タイムコード切り上げ設定画面１７２の「NO」を選択、確定する操作をした場合、および、メニューキー１１５を操作した場合には、表示制御部１５８は、タイムコード切り上げ設定画面１７２を閉じ、タイムコード切り上げ処理を終了する。
【０２３９】
また、ステップＳ９１において、切り上げ指示操作がされたと判定された場合、すなわち、ユーザによって、タイムコード切り上げ設定画面１７２において「YES」を選択、確定する操作がされた場合、入力制御部１５２は、タイムコードの切り上げの指示を、タイムコード切り上げ部１５３に供給し、処理はステップＳ９２に進む。
【０２４０】
ステップＳ９２において、タイムコード切り上げ部１５３は、入力制御部１５２から供給された、タイムコードの切り上げの指示に応じて、タイムコード管理部１５４に記憶（保持）されているタイムコードを取得し、処理はステップＳ９３に進む。
【０２４１】
ステップＳ９３において、タイムコード切り上げ部１５３は、タイムコード管理部１５４から取得したタイムコードの値を所定の単位で切り上げる。より具体的には、タイムコード切り上げ部１５３は、タイムコード管理部１５４から取得したタイムコードの、時間の値に１を加え、分、秒、およびフレームの値を０とし、処理はステップＳ９４に進む。
【０２４２】
ステップＳ９４において、タイムコード切り上げ部１５３は、切り上げたタイムコードをタイムコード管理部１５４に供給し記憶（更新）させる。このとき、タイムコード付加部１５７は、タイムコード管理部１５４からタイムコードを取得し、撮影制御部１５６から供給されてくる画像データに付加する。そして、タイムコード付加部１５７は、タイムコードが付加された画像データを、表示制御部１５８に供給し、処理はステップＳ９５に進む。
【０２４３】
ステップＳ９５において、表示制御部１５８は、切り上げたタイムコードを、表示部１５９に表示させる。これにより、表示部１５９では、図１７に示したように、いま撮影部１５５によって撮影されているスルー画に重畳する形で、切り上げられたタイムコード（例えば、「02:00:00:00」）が表示される。そして、処理はステップＳ９５からステップＳ９６に進む。
【０２４４】
ステップＳ９６において、入力制御部１５２は、録画を指示する録画指示操作がされたか否かを判定する。ステップＳ９６において、録画指示操作がされていないと判定された場合、処理はステップＳ９６に戻る。
【０２４５】
また、ステップＳ９６において、録画指示操作がされたと判定された場合、すなわち、ユーザによって、入力部１５１（録画開始／停止キー１１７）が操作された場合、入力制御部１５２は、録画の開始の指示を、タイムコード付加部１５７および記録制御部１６０に供給し、処理はステップＳ９７に進む。
【０２４６】
ステップＳ９７において、タイムコード管理部１５４は、タイムコードのカウントアップを開始し、タイムコード付加部１５７に供給する。さらに、ステップＳ９７では、タイムコード付加部１５７は、入力制御部１５２からの録画の開始の指示に応じて、タイムコード管理部１５４からのタイムコードを、撮影制御部１５６から供給されてくる画像データに、フレーム単位で付加し、表示制御部１５８および記録制御部１６０に供給する。
【０２４７】
ステップＳ９８において、記録制御部１６０は、入力制御部１５２からの録画の開始の指示に応じて、タイムコード付加部１５７から供給されてくる画像データを、フレーム単位で記録部１６１に記録させる。なお、このとき、表示制御部１５８は、タイムコードが付加された画像データに対応する画像を、フレーム単位でカウントアップするタイムコードとともに、表示部１５９に表示させる。
【０２４８】
このようにして画像データが記録される中で、ユーザによって、入力部１５１（録画開始／停止キー１１７）が操作され、録画の停止が指示された場合、入力制御部１５２は、録画の停止の指示を、タイムコード付加部１５７に供給し、タイムコード付加部１５７は、画像データへのタイムコードの付加を停止する。また、タイムコード管理部１５４は、タイムコードのカウントアップを停止し、そのタイムコードを記憶する。
【０２４９】
このように、撮影装置１１は、タイムコードの値を所定の単位で切り上げ、その値からカウントアップされるタイムコードを付加した画像データを記録するので、ユーザは、撮影の合間に、タイムコード切り上げ設定画面１７２からの簡単な操作をするだけで、タイムコードの時間、分、秒、フレームの各単位を順次変更する煩雑な操作を行わずに、記録される画像データのタイムコードを切り上げることができ、より簡単に、編集作業を効率良く行うことができるようにすることができる。
【０２５０】
ここで、上述した説明においては、ユーザによるタイムコード切り上げ設定画面１７２からの操作によって、タイムコード切り上げ処理が実行されるものとしたが、ユーザ設定キー８０乃至８２や、ユーザ設定キー９７乃至９９に、タイムコード切り上げ処理の機能を割り当てることで、タイムコード切り上げ設定画面１７２を表示せず、ユーザ設定キー８０乃至８２およびユーザ設定キー９７乃至９９のうちのいずれかを操作（押下）するだけで、タイムコード切り上げ処理が実行されるようにすることもできる。
【０２５１】
図１９は、ユーザ設定キー８０乃至８２およびユーザ設定キー９７乃至９９に所定の機能（メニュー）を割り当てるときの表示部１５９の表示の例を示す図である。
【０２５２】
図１９の例において、表示部１５９には、ユーザ設定キー割り当て画面１７３が表示されている。ユーザ設定キー割り当て画面１７３において表示されている「ASSIGN1」乃至「ASSIGN6」のそれぞれは、ユーザ設定キー８０乃至８２およびユーザ設定キー９７乃至９９のそれぞれに対応する。そして、「ASSIGN1」乃至「ASSIGN6」の表示の右側には、それぞれに割り当てられている機能が表示される。
【０２５３】
図１９の例では、「ASSIGN1」の右側には「TC COUNTUP」の表示がされており、この表示は、ユーザ設定キー８０に、タイムコード切り上げ処理の機能が割り当てられることを表す。また、「ASSIGN4」の右側には「ラストシーンレビュー」の表示、「ASSIGN5」の右側には「レックレビュー」の表示、「ASSIGN6」の右側には「エンドサーチ操作」の表示がそれぞれされており、ユーザ設定キー９７乃至９９には、それぞれの機能が割り当てられている。なお、「ASSIGN2」および「ASSIGN3」の右側には、機能の表示がされておらず、ユーザ設定キー８１および８２にはいずれの機能も割り当てられていない。
【０２５４】
このように、ユーザ設定キー８０に、タイムコード切り上げ処理の機能が割り当てられている場合、撮影装置１１は、図１６で説明したタイムコード切り上げ設定画面１７２の「YES」が選択、確定されたときの他、ユーザ設定キー８０が操作されたときも、タイムコード切り上げ処理を実行する。
【０２５５】
すなわち、例えば、図１９に示したように、タイムコード切り上げ設定画面１７２において、ユーザ設定キー８０に、タイムコード切り上げ処理の機能を割り当てるように設定がされると、図１のGUI制御部２２に対応する入力制御部１５２（図１５）では、ユーザ設定キー８０に、タイムコード切り上げ処理の機能が割り当てられる。
【０２５６】
具体的には、入力制御部１５２は、ユーザ設定キー８０に、タイムコード切り上げ処理の機能が割り当てられている旨を記憶する。
【０２５７】
そして、入力制御部１５２は、ユーザ設定キー８０としての入力部１５１が操作され、その操作に対応する操作信号が、入力部１５１から供給されると、ユーザ設定キー８０に割り当てられている機能を実行するように、制御が行われる。
【０２５８】
すなわち、いまの場合、ユーザ設定キー８０には、タイムコード切り上げ処理の機能が割り当てられており、入力制御部１５２は、ユーザ設定キー８０が操作されると、タイムコード切り上げ処理の指示を、タイムコード切り上げ部１５３に供給し、これにより、上述したような、タイムコードの切り上げが行われる。
【０２５９】
図２０および図２１を参照して、ユーザ設定キー８０にタイムコード切り上げ処理の機能が割り当てられている場合の、タイムコードの切り上げについて説明する。
【０２６０】
図２０は、スルー画が表示されている表示部１５９の表示の例を示す図である。
【０２６１】
図２０の例において、表示部１５９には、撮影部１５５によって撮影されているスルー画とともに、タイムコード１７１がOSD表示されている。なお、図２０の例においては、タイムコード１７１は、「01:21:36:08」になっている。
【０２６２】
また、表示部１５９の左上には、バッテリの残量を表すバッテリ残量マーク、画像データが1080i方式で記録されることを表す「HDV1080i」、インタレース方式がNTSC方式（NTSC方式の場合、フィールドレートは毎秒６０フィールド）であることを表す「60i」が表示されており、タイムコード１７１の左側には、撮影装置１１がスタンバイ状態（録画待機中）であることを示す「STBY」の文字が表示されている。また、タイムコード１７１の右下には、２チャンネル分の、マイクロフォン３４や図示せぬ端子から入力されるオーディオ記録レベルを表すメータが表示されている。
【０２６３】
図２０の例においては、タイムコード１７１は、「01:21:36:08」になっている。
【０２６４】
図２１は、図２０に示される状態においてユーザ設定キー８０が操作され、タイムコード切り上げ処理が実行された直後の表示部１５９の表示の例を示す図である。
【０２６５】
図２１においては、タイムコード１７１は、タイムコード切り上げ処理によって、図２０の例における「01:21:36:08」の、時間の値に１が加えられ、分、秒、およびフレームの値が０とされた「02:00:00:00」になっている。
【０２６６】
このように、撮影装置１１は、ユーザ設定キー８０の操作のみでタイムコード切り上げ処理を実行するので、ユーザは、タイムコード切り上げ設定画面１７２を開くことなく、ユーザ設定キー８０の操作のみでタイムコードの切り上げを行うことができ、その結果、撮影時間をさらに短縮すること（撮影の効率化を図ること）ができ、また、突然の撮影の機会を逸することを防止することができる。
【０２６７】
以上のように、撮影装置１１では、タイムコードの切り上げの指示に応じて、現在保持しているタイムコードの値を所定の単位で切り上げ、画像データの記録の指示に応じて、タイムコード切り上げ部１５３によって切り上げられたタイムコード以降のタイムコードを、画像データに付加し、その画像データを記録するので、ユーザは、撮影の合間に、簡単な操作をするだけで、記録される画像データのタイムコードを切り上げることができ、より簡単に、編集作業を効率良く行えるようにすることができる。
【０２６８】
なお、上述の説明では、タイムコードの切り上げの単位を時間とし、時間の値に１を加え、分、秒、およびフレームの値を０とするようにしたが、タイムコードの切り上げの単位は、時間に限らず、例えば、分として、分の値に１０や１を加え、秒およびフレームの値を０とするようにしてもよい。
【０２６９】
以上においては、本発明を、動画像を撮影する撮影装置１１に適用した実施の形態について説明したが、本発明は、フォーカス位置に関するフォーカス位置画像１４０の表示については、静止画像を撮影するディジタルスチルカメラ等の撮影装置に適用することができる。
【０２７０】
なお、コンピュータ（CPU）が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２７１】
また、本発明の実施の形態は、上述した実施の形態に限定されるものではなく、本発明の要旨を逸脱しない範囲において種々の変更が可能である。
【図面の簡単な説明】
【０２７２】
【図１】本発明を適用した撮影装置の一実施の形態の構成例を示すブロック図である。
【図２】撮影装置の筐体側面に設けられている入力部の外観構成図である。
【図３】撮影装置の筐体背面に設けられている入力部の外観構成図である。
【図４】撮影装置のGUI制御部、カメラ駆動制御部、及びベースバンド制御部の機能構成例を示すブロック図である。
【図５】フォーカスマーキングモードとなったときに表示されるフォーカス位置画像を示す図である。
【図６】フォーカスマーキングＡ記憶キーが押下された直後のフォーカス位置画像を示す図である。
【図７】フォーカスマーキングＢ記憶キーが押下された直後のフォーカス位置画像を示す図である。
【図８】フォーカス位置Ｂから近景側の位置に調整したときのフォーカス位置画像を示す図である。
【図９】フォーカス位置を、さらに近景側の位置に調整したときのフォーカス位置画像を示す図である。
【図１０】フォーカス位置を、図９の場合よりもさらに近景側の位置に調整したときのフォーカス位置画像を示す図である。
【図１１】現在のフォーカス位置がフォーカス位置Ａとフォーカス位置Ｂに一致したときのパネルの表示の例を示す図である。
【図１２】撮影装置のフォーカスマーキングモード設定の処理を説明するフローチャートである。
【図１３】撮影装置のフォーカスマーキングの処理を説明するフローチャートである。
【図１４】撮影装置のフォーカス位置一致検出処理を説明するフローチャートである。
【図１５】撮影装置のタイムコードに関係する部分の機能構成例を示すブロック図である。
【図１６】表示部に表示されるタイムコード切り上げ設定画面を示す図である。
【図１７】タイムコード切り上げ処理が実行されたときの表示部の表示の例を示す図である。
【図１８】撮影装置のタイムコード切り上げ処理を説明するフローチャートである。
【図１９】ユーザ設定キーに所定の機能を割り当てるときの表示部の表示の例を示す図である。
【図２０】スルー画が表示されている表示部の表示の例を示す図である。
【図２１】タイムコード切り上げ処理が実行された直後の表示部の表示の例を示す図である。
【符号の説明】
【０２７３】
１１  撮影装置，  ２１  キー／電源制御部，  ２２  GUI制御部，  ２２−１  CPU，  ２８  レンズ部，  ２９  CMOSセンサ，  ３０  カメラ画像制御部，  ３２  カメラ駆動制御部，  ３２−１  CPU，  ３７  ベースバンド制御部，  ４１  HDVコーデック，  ４４  符号化／復号部，  ４４−１  CPU，  ４５  DVコーデック，  ４６  機械駆動制御部，  ４６−１  CPU，  ４７  テープデッキ制御部，  ４８  テープデッキ，  ５３  パネル，  ５４  EVF，  ７１  フォーカスリング，  ７２  ズームリング，  ７３  アイリスリング，  ７７  フォーカスマーキングモード設定キー，  ７８  フォーカスマーキングＡ記憶キー，  ７９  フォーカスマーキングＢ記憶キー，  ８０乃至８２，９７乃至９９  ユーザ設定キー，  １１５  メニューキー，  １１６  ダイヤル／決定キー，  １１７  録画開始／停止キー，  １３１  フォーカス位置情報取得部，  １３２  フォーカス位置情報記憶部，  １３３  一致検出部，  １３４  GUI生成部，  １３５  GUI生成制御部，  １３６  表示制御部，  １４０  フォーカス位置画像，  １４３  バー，  １４４  現在マーク，  １４５，１４６  記憶マーク，  １５１  入力部，  １５２  入力制御部，  １５３  タイムコード切り上げ部，  １５４  タイムコード管理部，  １５５  撮影部，  １５６  撮影制御部，  １５７  タイムコード付加部，  １５８  表示制御部，  １５９  表示部，  １６０  記録制御部，  １６１  記録部，  １７１  タイムコード，  １７２  タイムコード切り上げ設定画面，  １７３  ユーザ設定キー割り当て画面
【図１】
2009122289.tif 000003
【図２】
2009122289.tif 000004
【図３】
2009122289.tif 000005
【図４】
2009122289.tif 000006
【図５】
2009122289.tif 000007
【図６】
2009122289.tif 000008
【図７】
2009122289.tif 000009
【図８】
2009122289.tif 000010
【図９】
2009122289.tif 000011
【図１０】
2009122289.tif 000012
【図１１】
2009122289.tif 000013
【図１２】
2009122289.tif 000014
【図１３】
2009122289.tif 000015
【図１４】
2009122289.tif 000016
【図１５】
2009122289.tif 000017
【図１６】
2009122289.tif 000018
【図１７】
2009122289.tif 000019
【図１８】
2009122289.tif 000020
【図１９】
2009122289.tif 000021
【図２０】
2009122289.tif 000022
【図２１】
2009122289.tif 000023